(57)【要約】【課題】  この発明は、ワイヤリモコン端子と少なくとも１つの赤外線リモコン受信モジュールを備えた投射型映像表示装置において、ワイヤリモコン端子にワイヤリモコンが接続されている場合には、各赤外線リモコン受信モジュールからの信号入力を自動的に遮断することができる投射型映像表示装置を提供することを目的とする。【解決手段】  ワイヤリモコン端子と少なくとも１つの赤外線リモコン受信モジュールを備えた投射型映像表示装置において、ワイヤリモコン端子としてスイッチ付きのホーン・ジャックが設けられており、ワイヤリモコン端子にワイヤリモコンのプラグが挿入された状態においては、スイッチ付きのホーン・ジャックの外側切片と内側切片との接触が解除されることに基づいて、各赤外線リモコン受信モジュールからの信号入力を遮断させる回路が設けられていることを特徴とする。【選択図】  図１
2006311217.tif 000002
【特許請求の範囲】
【請求項１】
ワイヤリモコン端子と少なくとも１つの赤外線リモコン受信モジュールを備えた投射型映像表示装置において、
ワイヤリモコン端子としてスイッチ付きのホーン・ジャックが設けられており、ワイヤリモコン端子にワイヤリモコンのプラグが挿入された状態においては、スイッチ付きのホーン・ジャックの外側切片と内側切片との接触が解除されることに基づいて、各赤外線リモコン受信モジュールからの信号入力を遮断させる回路が設けられていることを特徴とする投射型映像表示装置。
【請求項２】
複数の赤外線リモコン受信モジュールを備えた投射型映像表示装置において、
各赤外線リモコン受信モジュール毎に、赤外線リモコン受信モジュールの出力信号に基づいて、当該赤外線リモコン受信モジュールからの信号入力を遮断するための制御回路が設けられており、各制御回路は、対応する赤外線リモコン受信モジュールの出力信号が本来のリモコン信号であるか光ノイズによるノイズ信号であるかを判別し、ノイズ信号であると判別した場合に、当該赤外線リモコン受信モジュールからの信号入力を遮断させる回路であることを特徴とする投射型映像表示装置。
【請求項３】
各制御回路は、対応する赤外線リモコン受信モジュールの出力信号を平滑化するための平滑回路、ならびに平滑回路によって得られた信号と基準電圧とを比較し、平滑回路によって得られた信号が基準電圧より低いときに、当該赤外線リモコン受信モジュールの出力信号がノイズ信号であると判別する比較回路を備えていることを特徴とする請求項２に記載の投射型映像表示装置。
【発明の詳細な説明】
【技術分野】
【０００１】
この発明は、投射型映像表示装置に関する。
【背景技術】
【０００２】
プレゼンテーションや各種イベントに使用される液晶プロジェクタのように、装置本体とユーザまたは視聴者との位置関係が特定できない装置においては、どの位置から赤外線リモコン送信機が操作されるか不明であるため、複数の赤外線リモコン受信モジュールが装置本体の前後または左右等に設けられている。
【０００３】
ダブルスタックなどのように複数の液晶プロジェクタを同時に使用して１つの投射画像を生成する場合、ある液晶プロジェクタを制御するために赤外線リモコン送信機を使用すると、他の液晶プロジェクタも反応してしまう。そこで、液晶プロジェクタとして、ワイヤリモコンによって電気信号のリモコン信号をケーブルを介して液晶プロジェクタに直接入力できるようなものもある。
【０００４】
この種の液晶プロジェクタには、ワイヤリモコンを接続するためのワイヤリモコン端子が設けられている。一般に、ワイヤリモコンの入出力は、電源、信号、およびＧＮＤから構成されているので、ワイヤリモコン端子としては、ケーブルおよび端子の両面から汎用性のあるステレオ・ホーン・ジャックが転用されている。赤外線リモコン送信機から赤外線リモコン受信モジュールを介して入力されるリモコン信号とワイヤレスリモコンから入力されるリモコン信号は、それらが加算されてＣＰＵの同一端子に入力される。
【０００５】
図４は、ワイヤリモコン端子と２つの赤外線リモコン受信モジュールとを備えた液晶プロジェクタを示している。
【０００６】
液晶プロジェクタ１の前側と後側とにそれぞれ赤外線リモコン受信モジュール２、３が設けられている。また、液晶プロジェクタ１の後側に、ワイヤリモコン端子４が設けられている。
【０００７】
この例では、赤外線リモコン送信機１０を、ワイヤリモコンとして使用できるようになっている。つまり、赤外線リモコン送信機１０の後端には、ワイヤリモコン端子が設けられており、赤外線リモコン送信機１０をワイヤリモコンとして使用する際には、赤外線リモコン送信機１０のワイヤリモコン端子と液晶プロジェクタ１のワイヤリモコン端子４とを、両端にプラグを備えたワイヤリモコンケーブル１１によって接続する。赤外線リモコン送信機１０を操作すると、それに応じた電気信号からなるリモコン信号が、ワイヤリモコンケーブル１１を介して液晶プロジェクタ１に入力される。
【０００８】
ところで、赤外線を利用したリモコン受信モジュールでは、リモコンに使用される赤外線以外の蛍光灯等の照明光などの光ノイズにより、リモコン受信モジュール内のフォトダイオードが反応する場合がある。そうすると、ランダムなノイズがリモコン受信モジュールから出力される。１つのリモコン受信モジュールから光ノイズが出力されると、他のリモコン受信モジュールまたはワイヤリモコンからの本来のリモコン信号に光ノイズが足し合わされるため、本来のリモコン信号が光ノイズに埋もれて、本来のリモコン信号を認識できなくなる。特に、液晶プロジェクタは、人の影が映らないように、天井から金具で固定されて設置される場合が多く、天井に設けられた照明の影響を受けやすい。
【０００９】
そこで、各リモコン受信モジュールの出力側にアクティブＬｏのスリー・ステート・バッファを設け、照明に近いリモコン受信モジュールからの信号を遮断できるようにしている。
【００１０】
図５は、ワイヤリモコン端子と２つの赤外線リモコン受信モジュールとを備えた液晶プロジェクタの従来のリモコン信号入力回路の構成を示している。
【００１１】
ワイヤリモコン入力端子４としては、スイッチ無しのステレオ・ホーン・ジャックが使用されている。ワイヤリモコン入力端子４を介して入力されたリモコン信号は、抵抗Ｒ５、フォトカプラ２３、抵抗Ｒ７およびＲ８を介して、図示しないＣＰＵのリモコン入力端子に送られる。
【００１２】
一方の赤外線リモコン受信モジュール２からのリモコン信号は、アクティブＬｏのスリー・ステート・バッファ２１および抵抗Ｒ９を介してトランジスタＴｒ１に送られ、トランジスタＴｒ１で反転された後に、抵抗Ｒ８を介してＣＰＵのリモコン入力端子に送られる。他方の赤外線リモコン受信モジュール３からのリモコン信号は、アクティブＬｏのスリー・ステート・バッファ２２および抵抗Ｒ１０を介してトランジスタＴｒ２に送られ、トランジスタＴｒ２で反転された後に、抵抗Ｒ８を介してＣＰＵのリモコン入力端子に送られる。各スリー・ステート・バッファ２１、２２は、ＣＰＵによって制御される。
【発明の開示】
【発明が解決しようとする課題】
【００１３】
ワイヤリモコン端子と少なくとも１つの赤外線リモコン受信モジュールを備えた従来の液晶プロジェクタでは、ワイヤリモコン端子にワイヤリモコンが接続されている場合でも、赤外線リモコン受信モジュールからの信号がワイヤリモコンからの信号に足し合わされるため、少なくとも１つの赤外線リモコン受信モジュールから光ノイズが入力された場合に、ワイヤレスリモコンからの信号が正常に認識されなくなるという問題がある。この問題を回避するためには、ワイヤリモコン端子にワイヤリモコンが接続された場合に、赤外線リモコン受信モジュール毎に設けられたスリー・ステート・バッファをディセーブルにするための設定をユーザまたはサービスマンが行なう必要がある。
【００１４】
また、２以上の赤外線リモコン受信モジュールを備えた従来の液晶プロジェクタでは、上述したように、１つの赤外線リモコン受信モジュールから光ノイズが入力した場合には、他の赤外線リモコン受信モジュールからの本来のリモコン信号が正常に認識されなくなるという問題がある。この問題を回避するためには、光ノイズを発生している赤外線リモコン受信モジュールに対応するスリー・ステート・バッファをディセーブルにするための設定をユーザまたはサービスマンが行なう必要がある。
【００１５】
この発明は、ワイヤリモコン端子と少なくとも１つの赤外線リモコン受信モジュールを備えた投射型映像表示装置において、ワイヤリモコン端子にワイヤリモコンが接続されている場合には、各赤外線リモコン受信モジュールからの信号入力を自動的に遮断することができる投射型映像表示装置を提供することを目的とする。
【００１６】
この発明は、２以上の赤外線リモコン受信モジュールを備えた投射型映像表示装置において、光ノイズを発生している赤外線リモコン受信モジュールからの信号入力を自動的に遮断することができる投射型映像表示装置を提供することを目的とする。
【課題を解決するための手段】
【００１７】
請求項１に記載の発明は、ワイヤリモコン端子と少なくとも１つの赤外線リモコン受信モジュールを備えた投射型映像表示装置において、ワイヤリモコン端子としてスイッチ付きのホーン・ジャックが設けられており、ワイヤリモコン端子にワイヤリモコンのプラグが挿入された状態においては、スイッチ付きのホーン・ジャックの外側切片と内側切片との接触が解除されることに基づいて、各赤外線リモコン受信モジュールからの信号入力を遮断させる回路が設けられていることを特徴とする。
【００１８】
請求項２に記載の発明は、複数の赤外線リモコン受信モジュールを備えた投射型映像表示装置において、各赤外線リモコン受信モジュール毎に、赤外線リモコン受信モジュールの出力信号に基づいて、当該赤外線リモコン受信モジュールからの信号入力を遮断するための制御回路が設けられており、各制御回路は、対応する赤外線リモコン受信モジュールの出力信号が本来のリモコン信号であるか光ノイズによるノイズ信号であるかを判別し、ノイズ信号であると判別した場合に、当該赤外線リモコン受信モジュールからの信号入力を遮断させる回路であることを特徴とする。
【００１９】
請求項３に記載の発明は、請求項２に記載の発明において、各制御回路は、対応する赤外線リモコン受信モジュールの出力信号を平滑化するための平滑回路、ならびに平滑回路によって得られた信号と基準電圧とを比較し、平滑回路によって得られた信号が基準電圧より低いときに、当該赤外線リモコン受信モジュールの出力信号がノイズ信号であると判別する比較回路を備えていることを特徴とする。
【発明の効果】
【００２０】
請求項１に記載の発明によれば、ワイヤリモコン端子と少なくとも１つの赤外線リモコン受信モジュールを備えた投射型映像表示装置において、ワイヤリモコン端子にワイヤリモコンが接続されている場合には、各赤外線リモコン受信モジュールからの信号入力を自動的に遮断することができるようになる。
【００２１】
請求項２または３に記載の発明によれば、２以上の赤外線リモコン受信モジュールを備えた投射型映像表示装置において、光ノイズを発生している赤外線リモコン受信モジュールからの信号入力を自動的に遮断することができるようになる。
【発明を実施するための最良の形態】
【００２２】
以下、図１〜図３を参照して、この発明を液晶プロジェクタに適用した場合の実施例について説明する。
【実施例１】
【００２３】
図１は、ワイヤリモコン端子と２つの赤外線リモコン受信モジュールとを備えた液晶プロジェクタのリモコン信号入力回路の構成を示している。図１において、図５と同じものには、同じ符号を付してある。
【００２４】
一方の赤外線リモコン受信モジュール２は、アクティブＬｏのスリー・ステート・バッファ２１、抵抗Ｒ９を介してトランジタスＴｒ１のベースに接続されている。トランジタスＴｒ１のコレクタは、抵抗Ｒ７および抵抗Ｒ６を介して５Ｖの直流電源端子Ｖｃに接続されているとともに、抵抗Ｒ８を介して図示しないＣＰＵのリモコン入力端子Ｉｎに接続されている。トランジタスＴｒ１のベースは接地されている。
【００２５】
ＣＰＵからスリー・ステート・バッファ２１を制御するために、ＣＰＵはダイオードＤ１および抵抗Ｒ１１を介してスリー・ステート・バッファ２１の制御端子に接続されている。ダイオードＤ１と抵抗Ｒ１１との接続点は、抵抗Ｒ１２を介して接地されている。
【００２６】
他方の赤外線リモコン受信モジュール３は、アクティブＬｏのスリー・ステート・バッファ２２、抵抗Ｒ１０を介してトランジタスＴｒ２のベースに接続されている。トランジタスＴｒ２のコレクタは、抵抗Ｒ７および抵抗Ｒ６を介して５Ｖの直流電源端子Ｖｃに接続されているとともに、抵抗Ｒ８を介して図示しないＣＰＵのリモコン入力端子Ｉｎに接続されている。トランジタスＴｒ２のベースは接地されている。
【００２７】
ＣＰＵからスリー・ステート・バッファ２２を制御するために、ＣＰＵはダイオードＤ３および抵抗Ｒ１３を介してスリー・ステート・バッファ２２の制御端子に接続されている。ダイオードＤ３と抵抗Ｒ１３との接続点は、抵抗Ｒ１４を介して接地されている。
【００２８】
ワイヤリモコン入力端子４としては、ＴＶやラジオカセット等でよく用いられるスイッチ付きのステレオ・ホーン・ジャック（イヤホーン端子）が使用されている。ワイヤリモコン入力端子４は、外側切片４１Ｌ、４１Ｒと、内側切片４２Ｌ、４２Ｒとを備えている。ワイヤリモコンのプラグがワイヤリモコン入力端子４に挿入されていない場合には、外側切片４１Ｌ、４１Ｒはそれぞれ、内側切片４２Ｌ、４２Ｒと接触している。ワイヤリモコンのプラグがワイヤリモコン入力端子４に挿入された場合には、外側切片４１Ｌ、４１Ｒと、内側切片４２Ｌ、４２Ｒとの接触状態が解除される。
【００２９】
５Ｖの直流電源端子Ｖｃは、ワイヤリモコン入力端子４の外側切片４１Ｌに接続されているとともに、抵抗Ｒ２を介してスイッチングトランジスタＴｒ３のコレクタに接続されている。スイッチングトランジスタＴｒ３のエミッタは接地されている。ワイヤリモコン入力端子４の外側切片４１Ｌに対応する内側切片４２Ｌは、抵抗Ｒ１を介してスイッチングトランジスタＴｒ３のベースに接続されている。スイッチングトランジスタＴｒ３のベースは、コンデンサＣ１を介して接地されている。
【００３０】
スイッチングトランジスタＴｒ３のコレクタは、抵抗Ｒ３およびタイオードＤ２を介して、抵抗Ｒ１１とダイオードＤ１との接続点に接続されている。また、スイッチングトランジスタＴｒ３のコレクタは、抵抗Ｒ３およびタイオードＤ４を介して、抵抗Ｒ１３とダイオードＤ３との接続点に接続されている。
【００３１】
ワイヤリモコン入力端子４の外側切片４１Ｒに対応する内側切片４２Ｒの一端は開放されている。ワイヤリモコン入力端子４の外側切片４１Ｒは、抵抗Ｒ５、フォトカプラ２３を介して、抵抗Ｒ６と抵抗Ｒ７の接続点に接続されているとともに、抵抗Ｒ４を介して接地されている。
【００３２】
ワイヤリモコンのプラグがワイヤリモコン入力端子４に挿入されていない場合の動作について説明する。ＣＰＵからスリー・ステート・バッファ２１、２２の制御端子に与えられている電圧はＬレベルであるとする。
【００３３】
この場合には、スイッチングトランジスタＴｒ３のベース電圧はＨレベルであるので、スイッチングトランジスタＴｒ３はオンとなるため、スイッチングトランジスタＴｒ３のコレクタ電圧はＬレベルとなっている。スイッチングトランジスタＴｒ３のコレクタ電圧は、スリー・ステート・バッファ２１、２２の制御端子に与えられているが、スイッチングトランジスタＴｒ３のコレクタ電圧はＬレベルであるため、スリー・ステート・バッファ２１、２２はアクティブ状態となる。
【００３４】
したがって、一方の赤外線リモコン受信モジュール２から得られるリモコン信号は、スリー・ステート・バッファ２１、抵抗Ｒ９およびトランジタスＴｒ１に送られ、トランジタスＴｒ１によって反転された後に抵抗Ｒ８を介してＣＰＵのリモコン入力端子Ｉｎに入力される。他方の赤外線リモコン受信モジュール３から得られるリモコン信号は、スリー・ステート・バッファ２２、抵抗Ｒ１０およびトランジタスＴｒ２に送られ、トランジタスＴｒ２によって反転された後に抵抗Ｒ８を介してＣＰＵのリモコン入力端子Ｉｎに入力される。つまり、両赤外線リモコン受信モジュール２、３によって得られるリモコン信号は、反転された後に合成されてＣＰＵのリモコン入力端子Ｉｎに入力される。
【００３５】
次に、ワイヤリモコンのプラグがワイヤリモコン入力端子４に挿入されている場合の動作について説明する。ＣＰＵからスリー・ステート・バッファ２１、２２の制御端子に与えられている電圧はＬレベルであるとする。
【００３６】
ワイヤリモコンのプラグがワイヤリモコン入力端子４に挿入された場合には、外側切片４１Ｌ、４１Ｒと、内側切片４２Ｌ、４２Ｒとの接触状態が解除される。外側切片４１Ｌ、内側切片４２Ｌとの接触状態が解除されると、スイッチングトランジスタＴｒ３のベース電圧はＬレベルとなるので、スイッチングトランジスタＴｒ３はオフとなるため、スイッチングトランジスタＴｒ３のコレクタ電圧はＨレベルとなる。スイッチングトランジスタＴｒ３のコレクタ電圧は、スリー・ステート・バッファ２１、２２の制御端子に与えられているので、スイッチングトランジスタＴｒ３のコレクタ電圧がＨレベルになると、スリー・ステート・バッファ２１、２２はディセーブルとなる。この結果、両赤外線リモコン受信モジュール２、３によって得られるリモコン信号は、スリー・ステート・バッファ２１、２２によって遮断される。
【００３７】
一方、ワイヤリモコンからワイヤリモコン入力端子４に送られたリモコン信号は、抵抗Ｒ５、フォトカプラ２３、抵抗Ｒ７およびＲ８を介して、ＣＰＵのリモコン入力端子Ｉｎに入力される。
【００３８】
つまり、ワイヤリモコンのプラグがワイヤリモコン入力端子４に挿入されている場合には、両赤外線リモコン受信モジュール２、３によって得られるリモコン信号が自動的に遮断されるため、ワイヤリモコンからリモコン信号のみがＣＰＵのリモコン入力端子Ｉｎに入力される。このため、赤外線リモコン受信モジュール２、３によって光ノイズが発生したとしても、ワイヤリモコンからリモコン信号にその影響が及ばないので、ワイヤリモコンからリモコン信号が正常に認識されるようになる。
【実施例２】
【００３９】
図２は、ワイヤリモコン端子と２つの赤外線リモコン受信モジュールとを備えた液晶プロジェクタのリモコン信号入力回路の構成を示している。図２において、図１と同じものには、同じ符号を付してその説明を省略する。
【００４０】
図２の回路と図１の回路との違いは、各赤外線リモコン受信モジュール２、３毎に、赤外線リモコン受信モジュール２、３の出力信号が本来のリモコン信号であるか光ノイズによるノイズ信号であるかを判別するためのノイズ判別回路３１、３２が設けられている点と、ノイズ判別回路３１、３２の判別結果に応じてスリー・ステート・バッファ２１、２２を制御するための回路が付加されている点にある。
【００４１】
赤外線リモコン受信モジュール２の出力信号は、スリー・ステート・バッファ２１に送られるとともにノイズ判別回路３１にも送られる。ノイズ判別回路３１の出力端子は、ダイオードＤ５を介して、ダイオードＤ１と抵抗Ｒ１１との接続点に接続されている。
【００４２】
赤外線リモコン受信モジュール３の出力信号は、スリー・ステート・バッファ２２に送られるとともにノイズ判別回路３２にも送られる。ノイズ判別回路３２の出力端子は、ダイオードＤ６を介して、ダイオードＤ３と抵抗Ｒ１３との接続点に接続されている。
【００４３】
図３は、主としてノイズ判別回路３１の構成を示している。なお、ノイズ判別回路３２の構成もノイズ判別回路３１の構成と同様なので、ここでは、ノイズ判別回路３１についてのみ説明する。
【００４４】
ノイズ判別回路３１は、抵抗Ｒ２１、エミッタホロワ回路５１、平滑回路５２、抵抗Ｒ２４、Ｒ２５、Ｒ２６、コンデンサＣ１２、オペアンプＯＰ１および抵抗Ｒ２７を備えている。エミッタホロワ回路５１は、トランジスタＱ１と抵抗Ｒ２２とから構成されている。平滑回路５２は、抵抗Ｒ２３とコンデンサＣ１１とから構成されている。
【００４５】
赤外線リモコン受信モジュール２の出力信号は、抵抗Ｒ２１を介してエミッタホロワ回路５１に送られ、エミッタホロワ回路５１でバッファされた後に平滑回路５２によって平滑される。平滑回路５２によって得られた信号は、抵抗Ｒ２４を介してオペアンプＯＰ１の反転入力端子（−）に入力される。
【００４６】
オペアンプＯＰ１の非反転入力端子（＋）には、抵抗Ｒ２５および抵抗Ｒ２６からなる分圧回路によって生成された基準電圧が入力されている。オペアンプＯＰ１の非反転入力端子（＋）はコンデンサＣ１２を介して接地されている。
【００４７】
本来のリモコン信号はＨレベルの比率が多く、光ノイズは本来のリモコン信号より低い電圧となる。赤外線リモコン受信モジュール２から本来のリモコン信号が出力されている場合には、オペアンプＯＰ１の反転入力端子（−）に入力される電圧は基準電圧より高くなり、赤外線リモコン受信モジュール２からノイズ信号が出力されている場合には、オペアンプＯＰ１の反転入力端子（−）に入力される電圧は基準電圧より低くなる。
【００４８】
オペアンプＯＰ１の出力電圧は、反転入力端子（−）に入力される電圧が基準電圧より高いときにはＬレベルとなり、反転入力端子（−）に入力される電圧が基準電圧より低いときにはＨレベルとなる。
【００４９】
オペアンプＯＰ１の出力電圧は、抵抗Ｒ２７、ダイオードＤ５および抵抗Ｒ１１を介してスリー・ステート・バッファ２１の制御端子に送られる。赤外線リモコン受信モジュール２から本来のリモコン信号が出力されている場合には、オペアンプＯＰ１の出力電圧はＬレベルとなるので、スリー・ステート・バッファ２１はアクティブとなる。一方、赤外線リモコン受信モジュール２からノイズ信号が出力されている場合には、オペアンプＯＰ１の出力電圧はＨレベルとなるので、スリー・ステート・バッファ２１はディセーブルとなる。
【００５０】
ワイヤリモコンのプラグがワイヤリモコン入力端子４に挿入されている場合の動作は第１実施例と同じである。つまり、両赤外線リモコン受信モジュール２、３によって得られるリモコン信号が自動的に遮断され、ワイヤリモコンからリモコン信号のみがＣＰＵのリモコン入力端子Ｉｎに入力される。
【００５１】
ワイヤリモコンのプラグがワイヤリモコン入力端子４に挿入されていない場合の動作は、第１実施例と異なる。つまり、第１実施例では、ＣＰＵによってスリー・ステート・バッファ２１、２２の少なくとも一方がディセーブルにされない限りは、両赤外線リモコン受信モジュール２、３によって得られるリモコン信号は、反転された後に合成されてＣＰＵのリモコン入力端子Ｉｎに入力される。
【００５２】
これに対して、第２実施例では、ノイズ判別回路３１によって光ノイズが検出されている場合には、スリー・ステート・バッファ２１が自動的にディセーブルとされ、赤外線リモコン受信モジュール２の出力信号が遮断される。また、ノイズ判別回路３２によって光ノイズが検出されている場合には、スリー・ステート・バッファ２２が自動的にディセーブルとされ、赤外線リモコン受信モジュール３の出力信号が遮断される。
【００５３】
つまり、複数の赤外線リモコン受信モジュールのうち、ノイズ信号を出力している赤外線リモコン受信モジュールについては、その出力信号が自動的に遮断される。このため、本来のリモコン信号を出力している赤外線リモコン受信モジュールのみの信号が、ＣＰＵのリモコン入力端子Ｉｎに入力されるようになる。
【図面の簡単な説明】
【００５４】
【図１】第１実施例を示し、ワイヤリモコン端子と２つの赤外線リモコン受信モジュールとを備えた液晶プロジェクタのリモコン信号入力回路の構成を示す電気回路図である。
【図２】第２実施例を示し、ワイヤリモコン端子と２つの赤外線リモコン受信モジュールとを備えた液晶プロジェクタのリモコン信号入力回路の構成を示す電気回路図である。
【図３】主として図２のノイズ判別回路３１の構成を示す電気回路図である。
【図４】ワイヤリモコン端子と２つの赤外線リモコン受信モジュールとを備えた液晶プロジェクタを示す模式図である。
【図５】ワイヤリモコン端子と２つの赤外線リモコン受信モジュールとを備えた液晶プロジェクタの従来のリモコン信号入力回路の構成を示す電気回路図である。
【符号の説明】
【００５５】
１  液晶プロジェクタ
２、３  赤外線リモコン受信モジュール
４  ワイヤリモコン端子
２１、２２  スリー・ステイト・バッファ
３１、３２  ノイズ判別回路
Ｔｒ３  トランジスタ
４１Ｌ  外側切片
４２Ｌ  内側切片
【図１】
2006311217.tif 000003
【図２】
2006311217.tif 000004
【図３】
2006311217.tif 000005
【図４】
2006311217.tif 000006
【図５】
2006311217.tif 000007